(57)【要約】【課題】スピニングリールにおいて、釣り方を教えるときなどに釣り竿を持ち替えることなく操作できるようにする。【解決手段】スピニングリールは、釣り竿に装着可能なリール本体２と、回転伝達機構と、第１ハンドル組立体１ａと、第２ハンドル組立体１ｂと、ロータ３と、スプール４と、を備えている。回転伝達機構は、左右方向に沿って配置されたマスターギア軸を有する機構である。第１ハンドル組立体は、マスターギア軸の一端に回転不能に連結されたものである。第２ハンドル組立体は、第１ハンドル組立体がマスターギア軸の一端に連結された状態でマスターギア軸の他端に回転不能に連結可能である。ロータは、リール本体に回転自在に装着されマスターギア軸の回転に連動して回転する。スプールは、リール本体に対して前後移動自在であり、ロータの回転により外周に釣り糸が巻き付けられる。【選択図】図１
2008022756.tif 000002
【特許請求の範囲】
【請求項１】
釣り竿に装着可能であり、前方に釣り糸を繰り出し可能なスピニングリールであって、
前記釣り竿に装着可能なリール本体と、
左右方向に沿って配置され前記リール本体に回転自在に装着されたマスターギア軸を有する回転伝達機構と、
前記マスターギア軸の一端に回転不能に連結された第１ハンドル組立体と、
前記第１ハンドル組立体が前記マスターギア軸の一端に連結された状態で前記マスターギア軸の他端に回転不能に連結可能な第２ハンドル組立体と、
前記リール本体に回転自在に装着されマスターギア軸の回転に連動して回転するロータと、
前記リール本体に対して前後移動自在であり、前記ロータの回転により外周に釣り糸が巻き付けられるスプールと、
を備えたスピニングリール。
【請求項２】
前記第１ハンドル組立体と前記第２ハンドル組立体は前記マスターギア軸にねじ構造により固定されており、
前記第１ハンドル組立体と前記第２ハンドル組立体との回転方向の位相を調整する位相調整手段をさらに備える、請求項１に記載のスピニングリール。
【請求項３】
前記マスターギア軸は、一端に第１雌ねじ部を有し、他端に第２雌ねじ部を有し、
前記第１ハンドル組立体は、前記第１雌ねじ部に螺合する第１雄ねじ部を有し、
前記第２ハンドル組立体は、前記第２雌ねじ部に螺合する第２雄ねじ部を有する、請求項２に記載のスピニングリール。
【請求項４】
前記マスターギア軸は、中心を左右に貫通する非円形孔を有し、
前記第１ハンドル組立体は、前記非円形孔に回転不能に係合する係合部と、前記係合部の先端に設けられた第３ねじ部とを有するハンドル軸を有し、
前記第２ハンドル組立体は、前記第３ねじ部に螺合する第４ねじ部を有する、請求項２に記載のスピニングリール。
【請求項５】
前記第３ねじ部は雄ねじであり、前記第４ねじ部は雌ねじである、請求項４に記載のスピニングリール。
【請求項６】
前記位相調整手段は、前記ねじ構造のねじのねじピッチを複数分割した厚みの位相調整ワッシャを有する、請求項２から５のいずれか１項に記載のスピニングリール。
【請求項７】
両端に第１ねじ部を有するスピニングリールのマスターギア軸に回転不能に連結されるハンドル組立体であって、
前記第１ねじ部に螺合する第２ねじ部を有するハンドル軸と、
前記ハンドル軸に連結され、少なくとも前記ハンドル軸と交差する一方向に延びるハンドルアームと、
前記ハンドルアームの先端に装着されたハンドル把手と、
前記第１ねじ部と前記第２ねじ部との螺合量を調整して前記ハンドルアームの前記マスターギア軸に対する位相を調整可能な位相調整手段と、
を備えたスピニングリールのハンドル組立体。
【請求項８】
前記第１ねじ部は雌ねじ部であり、第２ねじ部は雄ねじ部である、請求項７に記載のスピニングリールのハンドル組立体。
【請求項９】
前記位相調整手段は、前記第１及び第２ねじ部のねじのねじピッチを複数分割した厚みの位相調整ワッシャを有する、請求項７又は８に記載のスピニングリールのハンドル組立体。
【請求項１０】
前記位相調整ワッシャは、第１及び第２ねじ部のねじのピッチの１／２の厚みの第１ワッシャ部材と、前記ピッチの１／４の厚みの第２ワッシャ部材とを有する、請求項９に記載のスピニングリールのハンドル組立体。
【発明の詳細な説明】
【技術分野】
【０００１】
本発明は、釣り竿に装着可能であり、前方に釣り糸を繰り出し可能なスピニングリール及びスピニングリールのマスターギア軸に回転不能に連結されるハンドル組立体に関する。
【背景技術】
【０００２】
スピニングリールは、釣り竿に装着可能なリール本体と、リール本体に回転自在に装着されたハンドル組立体と、リール本体に左右方向に沿って配置されたマスターギア軸を有する回転伝達機構と、マスターギア軸の一端に回転不能に連結されたハンドル組立体と、リール本体に回転自在に装着されマスターギア軸の回転に連動して回転するロータと、リール本体に対して前後移動自在であり、ロータの回転により外周に釣り糸が巻き付けられるスプールと、を備えている。マスターギア軸には、マスターギアが一体又は別体で設けられており、ハンドル組立体はマスターギア軸の両端のいずれかに連結されている。このような構成のスピニングリールでは、ハンドル組立体の回転が回転伝達機構を介してロータに伝達される。
【０００３】
従来、マスターギア軸の左右端のいずれからも着脱自在に装着できるハンドル組立体が知られている。このようなハンドル組立体において、ねじ式のもの（たとえば、特許文献１参照）と、非円形係合式のもの（たとえば、特許文献２参照）とが知られている。
【０００４】
ねじ式のものは、たとえば、ハンドル組立体のハンドル軸にねじ方向が異なる第１及び第２雄ねじ部が軸方向に先端側から並べて配置されている。また、マスターギア軸には、一端の奥側に先端側の第１雄ねじ部に螺合する第１雌ねじ部が配置され、他端の手前側に基端側の第２雄ねじ部が螺合する第２雌ねじ部が形成されている。そして、マスターギア軸の一端から装着する場合は、ハンドル軸の第１雄ねじ部を奥側の第１雌ねじ部にねじ込んでハンドル組立体をマスターギア軸に回転不能に連結する。また、他端から装着する場合は、ハンドル軸の第２雄ねじ部を手前側の第２雌ねじ部にねじ込んでハンドル組立体をマスターギア軸に回転不能に連結する。ここで、ねじの方向が異なるのは、ハンドル組立体を糸巻取方向に回したときにねじが緩まないようにするためである。
【０００５】
非円形係合式のものは、ハンドル組立体のハンドル軸の断面が正六角形等の非円形で構成され、マスターギア軸の内部に断面が正六角形等の非円形の係合孔が軸方向に貫通して形成されている。そして、ハンドル軸装着側と逆側からボルト部材により抜け止めされている。
【特許文献１】特開２００４−２６７２６８号公報
【特許文献２】特開２００５−２５３３７２号公報
【発明の開示】
【発明が解決しようとする課題】
【０００６】
このようなスピニングリールを用いて、海上釣り堀や防波堤や桟橋などで、釣りが上手な熟練者が初心者に釣り方を教える場合ある。この場合、従来のスピニングリールでは、教える都度、熟練者と初心者とでスピニングリールが装着された釣り竿を持ち替えなければならない。たとえば、熟練者が初心者に魚を釣り上げるときのハンドルの回転のさせ方を教える場合、巻き上げ途中で釣り竿を持ち替える必要が生じる。
【０００７】
本発明の課題は、スピニングリールにおいて、釣り方を教えるときなどに釣り竿を持ち替えることなく操作できるようにすることにある。
【０００８】
本発明の別の課題は、一端にねじ込み式のハンドル組立体が連結されたスピニングリールの他端に連結可能なねじ込み式のハンドル組立体を操作しやすくすることにある。
【課題を解決するための手段】
【０００９】
発明１に係るスピニングリールは、釣り竿に装着可能であり、前方に釣り糸を繰り出し可能なリールであって、リール本体と、回転伝達機構と、第１ハンドル組立体と、第２ハンドル組立体と、ロータと、スプールと、を備えている。リール本体は、釣り竿に装着可能なものである。回転伝達機構は、左右方向に沿って配置されリール本体に回転自在に装着されたマスターギア軸を有する機構である。第１ハンドル組立体は、マスターギア軸の一端に回転不能に連結されたものである。第２ハンドル組立体は、第１ハンドル組立体がマスターギア軸の一端に連結された状態でマスターギア軸の他端に回転不能に連結可能なものである。ロータは、リール本体に回転自在に装着されマスターギア軸の回転に連動して回転する。スプールは、リール本体に対して前後移動自在であり、ロータの回転により外周に釣り糸が巻き付けられる。
【００１０】
このスピニングリールでは、マスターギア軸の一端に連結された第１ハンドル組立体を回転させると、マスターギア軸が回転する。この回転がロータに伝達され、ロータが回転する。釣り方を教えるときには、第２ハンドル組立体をマスターギア軸の他端に連結する。これにより、マスターギア軸の両端にハンドル組立体が連結される。これにより、一方のハンドル組立体を熟練者が操作し、他方のハンドル組立体を初心者が操作することができる。ここでは、第１ハンドル組立体がマスターギア軸の一端に連結された状態で、第２ハンドル組立体をマスターギア軸の他端に連結可能に構成したので、釣りの途中などで釣り方を教えるときなどに、第２ハンドル組立体をマスターギア軸の他端に連結することにより、釣り竿を持ち替えることなくリールを操作できるようになる。また、不要の時には、第２ハンドル組立体を連結解除することにより第２ハンドル組立体が邪魔にならない。
【００１１】
発明２に係るスピニングリールは、発明１に記載のリールにおいて、第１ハンドル組立体と第２ハンドル組立体はマスターギア軸にねじ構造により固定されており、第１ハンドル組立体と第２ハンドル組立体との回転方向の位相を調整する位相調整手段をさらに備える。この場合には、２つのハンドル組立体をマスターギア軸にねじ構造により固定する場合、ねじの加工精度によっては２つのハンドル組立体の回転方向の位相が大きくずれることがある。２つのハンドル組立体の位相がずれた状態で、両方から同時にハンドル組立体を操作すると、タイミングがずれてハンドル組立体を操作しにくくなる。このように２つのハンドル組立体の回転方向の位相がずれても、位相調整手段により２つのハンドル組立体の位相を調整できる。このため、他端に連結されたハンドル組立体の位相を一端に連結されたハンドル組立体の位相に合わせて調整することができ、２つのハンドル組立体を操作しやすくなる。
【００１２】
発明３に係るスピニングリールは、発明２に記載のリールにおいて、マスターギア軸は、一端に第１雌ねじ部を有し、他端に第２雌ねじ部を有し、第１ハンドル組立体は、第１雌ねじ部に螺合する第１雄ねじ部を有し、第２ハンドル組立体は、第２雌ねじ部に螺合する第２雄ねじ部を有する。この場合には、マスターギア軸側が雌ねじ部であるので、マスターギア軸に設けられるマスターギアの影響を受けなくなり、ねじ長さを長く取れる。このため、高トルクの回転を伝達できるとともに、マスターギア軸を貫通する孔に雌ねじ部を形成することにより、マスターギア軸の軽量化を図れる。また、一方のハンドル組立体がマスターギア軸に連結された状態でも他方のハンドル組立体の着脱を容易に行える。
【００１３】
発明４に係るスピニングリールは、発明２に記載のリールにおいて、マスターギア軸は、中心を左右に貫通する非円形孔を有し、第１ハンドル組立体は、非円形孔に回転不能に係合する係合部と、係合部の先端に設けられた第３ねじ部とを有するハンドル軸を有し、第２ハンドル組立体は、第３ねじ部に螺合する第４ねじ部を有する。この場合には、非円形係合のマスターギア軸の両端にハンドル組立体を装着可能になる。
【００１４】
発明５に係るスピニングリールは、発明４に記載のリールにおいて、第３ねじ部は雄ねじであり、第４ねじ部は雌ねじである。この場合には、非円形孔を貫通するハンドル軸に設けられる第３ねじ部が雄ねじであるので、ねじ径を大きくとれ、ハンドルからマスターギア軸への伝達トルクが高くなる。
【００１５】
発明６に係るスピニングリールは、発明２から５のいずれかに記載のリールにおいて、位相調整手段は、ねじ構造のねじのねじピッチを複数分割した厚みの位相調整ワッシャを有する。この場合には、ねじピッチを複数分割した厚みの位相調整ワッシャをねじ構造の締結部分に配置することにより、ねじの加工精度のばらつきが生じても第１及び第２ハンドル組立体の回転位相を簡単に合わせることができる。
【００１６】
発明７に係るスピニングリールのハンドル組立体は、両端に第１ねじ部を有するスピニングリールのマスターギア軸に回転不能に連結される組立体であって、ハンドル軸と、ハンドルアームと、ハンドル把手と、位相調整手段と、を備えている。ハンドル軸は、第１ねじ部に螺合する第２ねじ部を有している。ハンドルアームは、ハンドル軸に連結され、少なくともハンドル軸と交差する一方向に延びるものである。ハンドル把手は、ハンドルアームの先端に装着されたものである。位相調整手段は、第１ねじ部と第２ねじ部と螺合量を調整可能な手段である。
【００１７】
このハンドル組立体では、マスターギア軸の一端の第１ねじ部に別のねじ込み式のハンドル組立体が連結されたスピニングリールのマスターギア軸の他端の第１ねじ部に第２ねじ部を螺合させてマスターギア軸の他端に連結する。これにより、マスターギア軸の両端にハンドル組立体が連結される。ねじ込み式のハンドル組立体の場合、ねじの加工精度によっては２つのハンドル組立体を連結した状態で２つのハンドル組立体の回転方向の位相が大きくずれることがある。２つのハンドル組立体の位相がずれた状態で両方から同時にハンドル組立体を操作すると、タイミングがずれてハンドル組立体を操作しにくくなる。ここでは、一端にハンドル組立体が連結されたマスターギア軸の他端にハンドル組立体を連結したときに２つのハンドル組立体の回転方向の位相がずれても、位相調整手段により２つのハンドル組立体の位相を調整できる。このため、他端に連結されたハンドル組立体の位相を一端に連結されたハンドル組立体の位相に合わせて調整することができ、２つのハンドル組立体をリールに装着してもハンドル組立体を操作しやすくなる。
【００１８】
発明８に係るスピニングリールのハンドル組立体は、発明７に記載の組立体において、第１ねじ部は雌ねじ部であり、第２ねじ部は雄ねじ部である。この場合には、マスターギア軸側の第１ねじ部が雌ねじであるので、マスターギア軸に設けられるマスターギアの影響を受けなくなり、ねじ長さを長く取れる。このため、高トルクの回転を伝達できるとともに、マスターギア軸を貫通する孔に第１ねじ部を形成することにより、マスターギア軸の軽量化を図れる。
【００１９】
発明９に係るスピニングリールのハンドル組立体は、発明７又は８に記載の組立体において、位相調整手段は、第１及び第２ねじ部のねじのねじピッチを複数分割した厚みの位相調整ワッシャを有する。この場合には、ねじピッチを複数分割した厚みの位相調整ワッシャをハンドル組立体に配置することにより、ねじの加工精度のばらつきが生じても第１及び第２ハンドル組立体の回転位相を簡単に合わせることができる。
【００２０】
発明１０に係るスピニングリールのハンドル組立体は、発明９に記載の組立体において、位相調整ワッシャは、第１及び第２ねじ部のねじのピッチの１／２の厚みの第１ワッシャ部材と、ピッチの１／４の厚みの第２ワッシャ部材とを有する。この場合には、２枚のワッシャ部材を単独又は組み合わせて用いることで１／４，１／２，３／４の３段階に位相を調整できる。
【発明の効果】
【００２１】
本発明に係るスピニングリールによれば、第２ハンドル組立体を、第１ハンドル組立体がマスターギア軸の一端に連結された状態でもマスターギアの他端に連結可能に構成したので、釣りの途中などで釣り方を教えるときなどに、第２ハンドル組立体をマスターギア軸の他端に連結することにより、釣り竿を持ち替えることなく操作できるようになる。また、不要の時には、第２ハンドル組立体を連結解除することにより第２ハンドル組立体が邪魔にならない。
【００２２】
本発明に係るスピニングリールのハンドル組立体によれば、一端にハンドル組立体が連結されたマスターギア軸の他端にハンドル組立体を連結したときに２つのハンドル組立体の回転方向の位相がずれても、位相調整手段により２つのハンドル組立体の位相を調整できるので、他端に連結されたハンドル組立体の位相を一端に連結されたハンドル組立体の位相に合わせて調整することができ、ハンドル組立体を操作しやすくなる。
【発明を実施するための最良の形態】
【００２３】
図１から図３において、本発明の一実施形態によるスピニングリールは、釣り竿Ｒ（図２）に装着され、前方に釣り糸を繰り出すリールであって、釣り竿Ｒに装着可能なリール本体２と、マスターギア軸１０（図３）を有する回転伝達機構５（図３）と、マスターギア軸１０の一端（図２左端）に回転不能に連結された第１ハンドル組立体１ａと、マスターギア軸１０の他端に連結可能な第２ハンドル組立体１ｂと、ロータ３と、スプール４と、を備えている。ロータ３は、リール本体２の前部に回転自在に支持されており、マスターギア軸１０の回転に連動して回転する。スプール４は、リール本体２に対して前後移動自在であり、ロータ３の回転により外周に釣り糸が巻き付けられる。
【００２４】
リール本体２は、左側部に開口２ｃを有するリールボディ２ａと、リールボディ２ａから斜め上前方に一体で延びるＴ字状の竿取付脚２ｂと、リールボディ２ａの開口２ｃを閉塞するための蓋体２ｄとを有している。
【００２５】
リールボディ２ａは、図３及び図４に示すように、内部に空間を有しており、その空間内に回転伝達機構５が設けられている。また、空間内には、先端にスプール４が装着されたスプール軸１５を、マスターギア軸１０の回転に連動して前後に移動させ、釣り糸をスプール４に均一に巻き取るためのオシレーティング機構６も設けられている。
【００２６】
図４に示すように、リールボディ２ａの右側面には、筒状のボス部１７ａが形成されている。ボス部１７ａは、マスターギア軸１０の図４右端を支持する軸受１６ａを収納するためにリールボディ２ａの内外方に突出して形成されている。蓋体２ｄのボス部１７ａに対向する位置には、ボス部１７ｂが形成されている。ボス部１７ｂはマスターギア軸１０の図４左端を支持する軸受１６ｂを収納するためにリールボディ２ａの内外方に突出して形成されている。第１ハンドル組立体１ａが装着された側と逆側のボス部（図４ではボス部１７ａ）は、第２ハンドル組立体１ｂが装着されていない通常の使用状態では、防水キャップ１９により閉塞されている。ボス部１７ａ，１７ｂには、防水キャップが螺合する雌ねじ部１７ｃ，１７ｄが軸受収納部分より小径に形成されている。また、雌ねじ部１７ｃ，１７ｄの外方には、大径の筒状のシール孔１７ｅ，１７ｆが形成されている。シール孔１７ｅ，１７ｆには、第１及び第２ハンドル組立体１ａ，１ｂに装着された後述するシール部材１８ａ，１８ｂの先端が接触している。
【００２７】
防水キャップ１９は、第１及び第２ハンドル組立体１ａ，１ｂのいずれか一方のみが使用される場合に用いられる。防水キャップ１９は、皿状のカバー部１９ａと、カバー部１９ａから内側に突出する筒状部１９ｂと、を有している。筒状部１９ｂの先端外周面には、雌ねじ部１７ｃ，１７ｄのいずれかに螺合する雄ねじ部１９ｃが形成されている。また、雄ねじ部１９ｃの基端側には、シール孔１７ｅ，１７ｆに接触するＯリング２１が装着されている。
【００２８】
第１及び第２ハンドル組立体１ａ，１ｂは、図２，図４及び図５に示すように、マスターギア軸１０に螺合する部材であり、全体としてほぼ同じ質量の部材である。
【００２９】
マスターギア軸１０は、筒状の軸であり、一端（図４左端）に第１ハンドル組立体１ａが螺合する第１雌ねじ部（第１ねじ部の一例）１０ａが、他端（図４右端）に第２ハンドル組立体１ｂが螺合する第２雌ねじ部（第１ねじ部の一例）１０ｂが形成されている。第１及び第２ハンドル組立体１ａ，１ｂは、マスターギア軸１０の左端及び右端に各別に回転不能かつ着脱自在に装着可能である。
【００３０】
第１及び第２ハンドル組立体１ａ，１ｂは、第１及び第２雌ねじ部１０ａ，１０ｂに螺合する第１及び第２ハンドル軸７ａ，７ｂと、第１及び第２ハンドル軸７ａ，７ｂにそれぞれ連結された第１及び第２ハンドルアーム８ａ，８ｂと、第１及び第２ハンドルアーム８ａ，８ｂの先端に装着された第１及び第２ハンドル把手９ａ，９ｂと、を有している。また、第１及び第２ハンドル組立体１ａ，１ｂは、第１及び第２ハンドル軸７ａ，７ｂの外周側に装着された第１及び第２ロック部材２０ａ，２０ｂを有している。さらに、第２ハンドル組立体１ｂは、マスターギア軸１０に装着したときに第１ハンドル組立体１ａと回転方向の位相を合わせるための位相調整手段としての位相調整ワッシャ（位相調整手段の一例）２２をさらに有している。第１及び第２ロック部材２０ａ，２０ｂは、第１及び第２ハンドルアーム８ａ，８ｂを、第１及び第２ハンドル軸７ａ，７ｂに対する揺動をそれぞれ禁止するロック状態及び揺動を許可するロック解除状態に切り換えるために設けられている。
【００３１】
第１及び第２ハンドル軸７ａ，７ｂは、基端にマスターギア軸１０の第１及び第２雌ねじ部１０ａ，１０ｂに螺合する第１及び第２雄ネジ部（第２ねじ部の一例）７ｃ，７ｄを有する、たとえばステンレス合金製の軸部材である。第１及び第２ハンドル軸７ａ，７ｂの、マスターギア軸１０に螺合する部分の長さは、マスターギア軸１０の全長の半分以下の長さである。これにより、一方のハンドル組立体１ａ（又は１ｂ）をマスターギア軸１０の一端に装着しても他方のハンドル組立体１ｂ（又は１ａ）をマスターギア軸１０の他端に装着できる。マスターギア軸１０の左端に螺合する第１雄ねじ部７ｃは、第１ハンドル組立体１ａを糸巻き方向に回転させたときにねじ部が締まる方向の左ねじである。また、マスターギア軸１０の右端に螺合する第２雄ねじ部７ｄは、第２ハンドル組立体１ｂを糸巻き方向に回転させたときにねじ部が締まる方向の右ねじであり、第１及び第２ハンドル軸７ａ，７ｂは、ネジ方向を除いて同一の形状である。
【００３２】
第１及び第２雄ねじ部７ｃ，７ｄの軸方向外側には、第１及び第２雄ねじ部７ｃ，７ｄより大径の第３及び第４雄ねじ部７ｅ，７ｆが各別に形成されている。第３及び第４雄ねじ部７ｅ，７ｆのねじの方向は、第１及び第２雄ねじ部７ｃ，７ｄと同じであり、左側の第３雄ねじ部７ｅは左ねじであり、右側の第４雄ねじ部７ｆは右ねじである。第３及び第４雄ねじ部７ｅ，７ｆは、第１及び第２ハンドル組立体１ａ，１ｂをマスターギア軸１０から取り外したときに第１及び第２ロック部材２０ａ，２０ｂが脱落しないようにするために設けられている。
【００３３】
第１及び第２ハンドルアーム８ａ，８ｂは、たとえば、アルミニウム合金製の部材であり、同じ形状であり質量及び長さは同じである。第１及び第２ハンドルアーム８ａ，８ｂは、略球状の外観のハンドル軸装着部８ｃ，８ｄと、ハンドル軸装着部８ｃ，８ｄから第１及び第２ハンドル軸７ａ，７ｂから延びるアーム部８ｅ，８ｆと、を有している。
【００３４】
ハンドル軸装着部８ｃ，８ｄには、第１及び第２ロック部材２０ａ，２０ｂに後述する第１及び第２ばね受けワッシャ２３ａ，２３ｂ（及び位置調整ワッシャ２２）を介して各別に当接する、球の一部を切り欠いた形状の円形の当接面２４ａ，２４ｂが形成されているとともに、当接面２４ａ，２４ｂから中心側に向けて第１及び第２ハンドル軸７ａ，７ｂの先端の両側に密着する断面が矩形の係合溝２５ａ，２５ｂが形成されている。さらにハンドル軸装着部８ｃ，８ｄには、第１及び第２ビス４０ａ，４０ｂがねじ込まれるネジ孔２６ａ，２６ｂが係合溝２５ａ，２５ｂと直交する方向に形成されている。ネジ孔２６ａ，２６ｂは、係合溝２５ａ，２５ｂを挟んで一方に形成され第１及び第２ビス４０ａ，４０ｂが螺合する雌ネジと、他方に雌ネジより大径に形成され第１及び第２ビス４０ａ，４０ｂが通過可能な透孔とをそれぞれ有している。
【００３５】
アーム部８ｅ，８ｆは、第１及び第２ハンドル軸７ａ，７ｂと交差する方向に延びる中空の先細り棒状の部材であり、ハンドル軸装着部８ｃ，８ｄと一体形成されている。アーム部８ｅ，８ｆの先端に第１及び第２ハンドル把手９ａ，９ｂがそれぞれ回転自在に装着されている。
【００３６】
第１及び第２ハンドル把手９ａ，９ｂは、Ｔ字型の手の平で握れ、かつ指先でもつまめる形式の同じ形状である。第１及び第２ハンドル把手９ａ，９ｂは、アーム部８ｅ，８ｆの先端に固定され、第１及び第２ハンドル軸７ａ，７ｂと平行に配置された第１及び第２把手軸８ｇ，８ｈに回転自在に支持されている。
【００３７】
第１及び第２ロック部材２０ａ，２０ｂは、第１及び第２ハンドル軸７ａ，７ｂの外周側に軸方向移動自在かつ回転自在に装着されている。第１及び第２ロック部材２０ａ，２０ｂは、大径筒部２７ａ，２７ｂと小径筒部２８ａ，２８ｂとを有する二重円筒構造の一体形成された部材である。大径筒部２７ａ，２７ｂは、軸方向外方の基端側が小径に形成されており、その部分で小径筒部２８ａ，２８ｂと連結されている。この基端にハンドル軸装着部８ｃ，８ｄの当接面２４ａ，２４ｂに当接する第１当接部２７ｃ，２７ｄが形成されている。第１当接部２７ｃ，２７ｄの内周側には、皿ばね２９ａ，２９ｂが装着される凹部２７ｅ，２７ｆ（図５に２９ｂ及び２７ｆのみ図示）が形成されている。第３雌ねじ部軸方向内方の先端には、マスターギア軸１０の端部に当接する小径の第２当接部２８ｃ，２８ｄ（図５に２８ｄのみ図示）が形成されている。小径筒部２８ａ，２８ｂの先端側外周面には、シール部材１８ａ，１８ｂが装着される環状のシール装着溝２８ｅ，２８ｆ（図５に２８ｆのみ図示）。また、中央部より基端側の内周面には、第３及び第４雄ねじ部７ｅ，７ｆに螺合する第３雌ねじ部２８ｇ，２８ｈ（図５に２８ｈのみ図示）が形成されている。
【００３８】
皿ばね２９ａ，２９ｂは、第１及び第２ロック部材２０ａ，２０ｂと、ハンドル軸装着部８ｃ，８ｄを離反する方向に付勢するものであり、第１及び第２ハンドル軸７ａ，７ｂが回り止めのために設けられている皿ばね２９ａ，２９ｂとハンドル軸装着部８ｃ，８ｄとの間に皿ばね２９ａ．２９ｂを押圧するための第１及び第２ばね受けワッシャ２３ａ，２３ｂが介装されている。さらに、第２ハンドル組立体１ｂ側では、第２ばね受けワッシャ２３ｂとハンドル軸装着部８ｄとの間に位相調整ワッシャ２２が介装されている。
【００３９】
位相調整ワッシャ２２は、図６に示すように、厚みが異なる２枚のワッシャ部材（第１及び第２ワッシャ部材の一例）２２ａ，２２ｂで構成されている。ワッシャ部材２２ａ，２２ｂの厚みは、第１及び第２雄ねじ部７ｃ，７ｄのピンチに関連して設定されている。たとえば、第１雄ねじ部７ｄがＪＩＳ（日本工業規格）で定められたＭ４のねじの場合、そのピッチは０．７ｍｍである。そこで、たとえば、ワッシャ部材２２ａは、ピッチの１／２の厚みＴ１に設定され、ワッシャ部材２２ｂは、ピッチの１／４の厚みＴ２に設定されている。これにより、２つのワッシャ部材２２ａ，２２ｂを組み合わせて用いることにより、１／４，１／２，３／４の３段階で第１ハンドル組立体１ａと第２ハンドル組立体１ｂとの回転方向の位相を調整できる。それより細かく位相を調整したい場合、厚みが異なるワッシャ部材の枚数を増やせばよい。たとえば、ピッチの１／６，１／３，１／２の厚みが異なる３枚のワッシャ部材を用意すれば、６段階に位相を調整できる。
【００４０】
回転伝達機構５は、図３及び図４に示すように、ハンドル組立体１ａ，１ｂが回転不能に装着可能なマスターギア軸１０と、マスターギア軸１０とともに回転するフェースギアからなるマスターギア１１と、このマスターギア１１に噛み合うピニオンギア１２とを有している。マスターギア軸１０の両端は、軸受１６ａ，１６ｂを介してリールボディ２ａに回転自在に支持されている。
【００４１】
マスターギア軸１０の左端には、前述したように、第１ハンドル軸７ａに螺合する左ネジの第１雌ネジ部１０ａが形成され、右端には第２ハンドル軸７ｂに螺合する右ネジの第２雌ネジ部１０ｂが形成されている。また、マスターギア軸１０の左端側外周部には、マスターギア１１を同芯に着脱自在に装着するための円板状のフランジ部１０ｃが形成されている。
【００４２】
ピニオンギア１２は、図３に示すように、前後の軸方向に沿う軸回りに回転自在にリール本体２に装着されており、その前部１２ａはロータ３の中心部を貫通しており、ナット１３によりロータ３と固定されている。ピニオンギア１２は、軸方向の中間部と後端部とでそれぞれ軸受１４ａ，１４ｂを介してリール本体２に回転自在に支持されている。このピニオンギア１２の内部をスプール軸１５が貫通している。ピニオンギア１２は、マスターギア１１とともにオシレーティング機構６にも噛み合っている。
【００４３】
オシレーティング機構６は、スプール４の中心部にドラグ機構６０を介して連結されたスプール軸１５を前後方向に移動させてスプール４を同方向に移動させるための機構である。オシレーティング機構６は、ピニオンギア１２の回転に連動して動作し、ロータ３の回転に同期してスプール４を前後移動させる。
【００４４】
ロータ３は、図３に示すように、円筒部３０と、円筒部３０の側方に互いに対向して設けられた第１及び第２ロータアーム３１，３２とを有している。円筒部３０と両ロータアーム３１，３２とは、たとえばアルミニウム合金製であり一体成形されている。ロータアーム３１，３２の先端には、釣り糸をスプール４に案内するためのベールアーム４４が開閉自在に装着されている。
【００４５】
円筒部３０の前部には前壁３３が形成されており、前壁３３の中央部にはボス部３３ａが形成されている。ボス部３３ａの中心部にはピニオンギア１２に回転不能に係止される貫通孔が形成されており、この貫通孔をピニオンギア１２の前部１２ａ及びスプール軸１５が貫通している。
【００４６】
ロータ３の円筒部３０の内部にはロータ３の逆転を禁止・解除するための逆転防止機構５０が配置されている。逆転防止機構５０は、内輪が遊転するローラ型のワンウェイクラッチ５１と、ワンウェイクラッチ５１を作動状態（逆転禁止状態）と非作動状態（逆転許可状態）とに切り換える切換機構５２とを有している。
【００４７】
スプール４は、ロータ３の第１ロータアーム３１と第２ロータアーム３２との間に配置されており、スプール軸１５の先端にドラグ機構６０を介して装着されている。スプール４は、外周に釣り糸が巻かれる糸巻き胴部４ａと、糸巻き胴部４ａの後部に一体で形成されたスカート部４ｂと、糸巻き胴部４ａの前端に固定されたフランジ部４ｃとを有している。糸巻き胴部４ａは、ストレートな円筒状の部材であり、外周面はスプール軸１５と平行な周面で構成されている。糸巻き胴部４ａは、２つの軸受５６，５７によりスプール軸１５に回転自在に装着されている。
【００４８】
〔リールの操作及び動作〕
このような構成のハンドル組立体１ａ，１ｂでは、通常は、第１又は第２ハンドル組立体１ａ，１ｂをマスターギア軸１０の一方の端部に連結し、他方の端部側のボス部に防水キャップ１９を装着する。またロータ３を回転しないように固定した状態で、第１又は第２ハンドル軸７ａ，７ｂをマスターギア軸１０にねじ込むと、第１又は第２ロック部材２０ａ，２０ｂの両端がマスターギア軸１０の端部とハンドル軸装着部８ｃ，８ｄの当接面２４ａ，２４ｂとに当接する。この結果、第１又は第２ハンドルアーム８ａ，８ｂが図２に示すロック状態になりその揺動が禁止される。このロック状態で第１又は第２ハンドル組立体１ａ，１ｂは使用される。
【００４９】
また、逆転防止機構５０によりロータ３を逆転禁止状態にして第１又は第２ハンドル軸７ａ，７ｂをマスターギア軸１０に対して少し緩めると、第１又は第２ロック部材２０ａ，２０ｂの両端とマスターギア軸１０の端部及び当接面２４ａ，２４ｂとの間に隙間が生じる。この結果、第１又は第２ハンドルアーム８ａ，８ｂがロック解除状態になり、第１又は第２ハンドル軸７ａ，７ｂに対して折り畳み可能になる。このロック解除状態では、第１又は第２ハンドルアーム８ａ，８ｂを折り畳むことでリールをコンパクトに収納できる。
【００５０】
釣りを行う際に、熟練者に釣り方を教えてもらうために、２つのハンドル組立体１ａ，１ｂを使用したいときがある。この場合、第１ハンドル組立体１（又は第２ハンドル組立体１ｂ）が予め装着されている場合は、第２ハンドル組立体１ｂ（又は第１ハンドル組立体１ａ）を装着すればよい。
【００５１】
第１ハンドル組立体１ａが予め装着された状態で第２ハンドル組立体１ｂを装着する場合、まず、右側のボス部１７ａに装着されている防水キャップ１９を外してボス部１７ａを開口させる。この状態で、第２ハンドル組立体１ｂの第２ハンドル軸７ｂをマスターギア軸１０の右端に接触させて糸巻取方向に回転させる。このとき、たとえば左手でロータ３の回転を止めておく。これにより、マスターギア軸１０の雌ねじ部１０ｂに第２ハンドル軸７ｂの第１雄ねじ部７ｄがねじ込まれる。すると、第２ロック部材２０ｂの両端がマスターギア軸１０の右端とハンドル軸装着部８ｄの当接面２４ｂとに当接して第２ハンドルアーム８ｂがロック状態になりその揺動が禁止される。このロック状態で第２ハンドル組立体１ｂは使用可能になる。
【００５２】
また、第２ハンドル組立体１ｂを装着するすると、その回転方向の位相が第１ハンドル組立体１ａと大きく異なることがある。この場合、位相に違いに応じて位相調整ワッシャ２２により２つのハンドル組立体１ａ，１ｂのハンドルアーム８ａ，８ｂの回転方向の位相を調整できる。たとえば、１８０度程度回転方向の位相が異なる場合は、装着した第２ハンドル組立体１ｂをマスターギア軸１０から外してピッチの１／２厚みのワッシャ部材２２ａを第２ばね受けワッシャ２３ｂと第２ハンドル組立体１ａのハンドル軸装着部８ｄとの間に介装する。そして、再度第２ハンドル組立体１ｂを前述の手順でマスターギア軸１０の右端に連結する。これにより、第１ハンドル組立体１ａと第２ハンドル組立体１ｂとの回転方向の位相を、たとえば９０度未満となるように合わせることができる。また、第２ハンドル組立体１ｂが９０度程度回転し過ぎた位相になった場合は、ワッシャ部材２２ｂを介装すればよい。さらに、第２ハンドル組立体１ｂが９０度程度手前の位相で止まった場合は、２枚のワッシャ部材２２ａ，２２ｂを介装すればよい。これにより、２つのハンドル組立体１ａ，１ｂの位相を合わせることができる。
【００５３】
なお、ハンドル組立体１ａ，１ｂを折り畳む場合には、ロータの逆転を禁止した状態でハンドル組立体１ａ，１ｂを糸繰り出し方向に回転させてハンドル軸７ａ，７ｂを緩めればよい。これにより、第１及び第２ロック部材２０ａ，２０ｂとハンドル軸装着部８ｃ，８ｄとの間に隙間があき、第１及び第２ハンドルアーム８ａ，８ｂの第１及び第２ハンドル軸７ａ，７ｂに対するロックが解除され、第１及び第２ハンドルアーム８ａ，８ｂを折り畳むことができる。
【００５４】
キャスティング時には、ベールアーム４４を糸開放姿勢に反転させる。この状態で釣り竿を握る手の人差し指で釣り糸を引っかけながら釣り竿をキャスティングする。すると釣り糸は仕掛けの重さにより勢いよく放出される。この状態で第１及び第２ハンドル組立体１ａ，１ｂのいずれかをたとえば糸巻取方向に回転させると、回転伝達機構５のマスターギア１１及びピニオンギア１２によりロータ３が糸巻取方向に回転し、図示しない反転機構によりベールアーム４４が糸巻取姿勢に復帰して釣り糸がスプール４に巻き付けられる。
【００５５】
この右側に装着される第２ハンドル組立体１ｂは通常の右ネジであり、左側に装着すされる第１ハンドル組立体１ａは左ネジであるので、第１及び第２ハンドル組立体１ａ，１ｂを糸巻取り方向に回転させたときに、第１及び第２ハンドル組立体１ａ，１ｂは、ネジが締まる方向に回転する。このため、糸巻取時にネジが緩みにくい。
【００５６】
ここでは、一方のハンドル組立体１ａ（又は１ｂ）がマスターギア軸１０の一端に連結された状態で、他方のハンドル組立体１ｂ（又は１ａ）をマスターギア軸１０の他端に連結可能に構成したので、釣りの途中などで釣り方を教えるときなどに、他方のハンドル組立体１ｂ（又は１ａ）をマスターギア軸の他端に連結することにより、釣り竿を持ち替えることなくリールを操作できるようになる。また、不要の時には、他方のハンドル組立体１ｂ（又は１ａ）を連結解除することにより他方のハンドル組立体１ｂ（又は１ａ）が邪魔にならない。
【００５７】
また、一端に一方ハンドル組立体１ａ（又は１ｂ）が連結されたマスターギア軸１０の他端に他方のハンドル組立体１ｂ（又は１ａ）を連結したときに２つのハンドル組立体１ａ，１ｂの回転方向の位相がずれても、位相調整ワッシャ２２により２つのハンドル組立体１ａ，１ｂの位相を調整できる。このため、他端に連結された他方のハンドル組立体１ｂ（又は１ａ）の位相を一端に連結された一方ハンドル組立体１ａ（又は１ｂ）の位相に合わせて調整することができ、２つのハンドル組立体１ａ，１ｂをリールに装着してもハンドル組立体１ａ，１ｂを操作しやすくなる。
【００５８】
なお、一人の釣り人が使用する場合であっても、２つのハンドル組立体１ａ，１ｂを交互に使用することにより、釣り糸を延々と巻つづけるときに左右の手が疲れにくくなる。
【００５９】
〔他の実施形態〕
（ａ）前記実施形態では、ねじ込み式のハンドル組立体を例に説明したが、非円形係合式のハンドル組立体にも本発明を適用できる。図７に示すように、非円形係合式の第１ハンドル組立体１ａは、ハンドル軸１０７と、第１ハンドルアーム１０８ａと、第１ハンドル把手（図示せず）とを有している。第２ハンドル組立体１０１ｂは、ハンドル軸１０７に螺合する第２ハンドルアーム１０８ｂと、第２ハンドル把手（図示せず）とを有している。したがって、ハンドル軸１０７は、左右の第１及び第２ハンドル組立体１０１ａ，１０１ｂで共通である。
【００６０】
ハンドル軸１０７は、マスターギア軸１１０を貫通する中間部分に雄ネジ部に代えて非円形のたとえば矩形断面の係合部１０７ｇが形成されているとともに、先端外周面に雄ねじ部（第３ねじ部の一例）１０７ｈが形成されている。マスターギア軸１１０の内周部には、この係合部１０７ｇを回転不能に係止する断面が矩形の係止孔１１０ａが形成されており、ハンドル軸１０７を係止孔１１０ａに挿入すると両者が回転不能に連結される。ハンドル軸１０７の基端部（図７左端部）には、第１ハンドルアーム１０８ａのハンドル軸装着部１０８ｃが前記実施形態と同様にビス４０により連結されている。
【００６１】
なお、この実施形態では、第１及び第２ハンドルアーム１０８ａ，１０８ｂは、折りたたみできない構造である。第２ハンドルアーム１０８ｂのハンドル軸装着部１０８ｄには、雄ねじ部１０７ｈに螺合する雌ねじ部（第４ねじ部の一例）１０８ｆが形成されている。また、第１ハンドルアーム１０８ａのハンドル軸装着部１０８ｃと第１ロック部材２０ａとの間には、前記実施形態と同様な第１ばね受けワッシャ２３ａや皿ばね２９ａが装着され、第２ハンドルアーム１０８ｂのハンドル軸装着部１０８ｄと第２ロック部材２０ｂとの間には、前記実施形態と同様な位相調整ワッシャ２２や第２ばね受けワッシャ２３ｂや皿ばね２９ｂが装着されている。
【００６２】
また、第２ハンドル組立体１０８ｂを取り外して第１ハンドル組立体１０８ａだけで使用する場合、たとえば、第２ハンドル組立体１０８ｂのハンドル軸装着部１０８ｄと同様な形状のナット部材１１９によりハンドル軸１０７がマスターギア軸１１０に回転不能に連結される。この第１ハンドル組立体１０８ａは、マスターギア軸１１０の右端からも装着することができる。
【００６３】
このような構成の非円形係合式のハンドル組立体１０１ａ，１０１ｂでは、第１ハンドルアーム１０８ａが連結され第１ロック部材２０ａが装着されたたハンドル軸１０７をマスターギア軸１１０の係止孔１１０ａに係合部１０７ｇを合わせて挿入する。そして、逆側から飛び出したハンドル軸１０７に第２ロック部材２０ｂや皿ばね２９ｂや第２ばね受けワッシャ２３ｂを装着する。そして、第２ハングル組立体１０１ｂの第２ハンドルアーム１０８ａを雄ねじ部１０７ｈにねじ込んでハンドル軸１０７の抜け止めを行う。このとき、第１ハンドルアーム１０８ａと第２ハンドルアーム１０８ｂとの位相が大きくずれている場合には、位相調整ワッシャ２２を第２ロック部材２０ｂと第２ハンドルアーム１０８ａのハンドル軸装着部１０８ｄとの間に介装して位相を調整する。このような構成の非円形係合式のハンドル組立体にも本発明を適用できる。
【００６４】
（ｂ）前記実施形態では、複数枚の位相調整ワッシャ２２を用いて２つのハンドル組立体の回転方向の位相を調整したが、図８に示すように、１枚の位相調整ワッシャ１２２の両面の直径を異ならせることにより２段階に調整できるようにしてもよい。図８において、第２ハンドル組立体２０１ｂのハンドル軸装着部２０８ｄに形成された当接面２２４ｂには、中心側に僅かに凹んだ当接凹部２２４ｄが形成されている。
【００６５】
位置調整ワッシャ２２２は、第１面２２２ａが大径で第２面２２２ｂが小径に形成された段付きワッシャである。第２面２２２ｂの外径は、当接凹部２２４ｄの内径より小さい。位置調整ワッシャ２２２の厚みは、たとえば、第１及び第２雄ねじ部７ｃ，７ｄのピッチのたとえば２／３の厚みであり、大径の第１面２２２ａは、全体の厚みの半分の厚みである。このような位置調整ワッシャ２２２を図示しない第１ハンドル組立体と第２ハンドル組立体２０１ａの回転方向の位相に応じて、図８（ａ）に示すように、たとえば第１面２２２ａを当接面２２４ｂに向けると、位相調整ワッシャ２２２の全体の厚みで位相を調整できる。一方、図８（ｂ）に示すように、第２面２２２ｂを当接面２２４ｂに向けると、第２面２２２ｂが当接凹部２２４ｄ内に当接し第１面２２２ａ側の厚み、すなわち全体の厚みの１／２の厚みで位相を調整できる。
【００６６】
（ｃ）前記実施形態では、２つのハンドル組立体のハンドルアームの長さを同一にしたが、図９に示すように異ならせても良い。この実施形態では、第１ハンドル組立体３０１ａの第２ハンドルアーム３０８ａの長さが第２ハンドル組立体３０１ｂの第２ハンドルアーム３０８ｂの長さより長い。これにより、それぞれのハンドル組立体を操作する釣り人の体格に合わせてハンドル組立体を選択できるようになる。たとえば、子供と大人とで操作する場合、体格が大きい大人はアーム長さが長い第２ハンドル組立体３０１ａを操作し、体格が小さい子供はアーム短い第１ハンドル組立体３０１ａを操作すればよい。これにより、体格が小さい子供側のハンドルアーム３０１ｂの回転半径が小さくなり、体格が小さい子供でも第２ハンドル組立体３０１ｂを回しやすくなる。
【００６７】
（ｄ）前記実施形態では、第１及び第２ハンドル把手が同じ形状であったが、別の形状でも良い。たとえば、図１０に示すように、第１ハンドル組立体４０１ａの第１ハンドル把手４０９ａは、Ｔ字型の手の平で握れる形式のものにし、第２ハンドル組立体４０１ｂの第２ハンドル把手４０９ｂを指先でつまめる形式のものにしても良い。また、同じ形式で大きさを異ならせても良い。この場合、それぞれのハンドル組立体を操作する釣り人の体格に合わせることができる。また、ハンドル把手を異ならせることにより釣法に応じてハンドル把手を選択することもできる。
【００６８】
（ｅ）前記実施形態では、ハンドルアームがハンドル軸の先端から一方向に延びるシングルハンドル型のハンドル組立体を例に説明した。本発明はこれに限定されず、図１１に示すような、それぞれのハンドルアーム５０８ａ，５０８ｂがハンドル軸の先端から両方向に延び、延びた両端にハンドル把手５０９ａ，５０９ｂが装着されるダブルハンドル型のハンドル組立体５０１ａ，５０１ｂにも本発明を適用できる。また、一方をシングルハンドル型のものにし、他方をダブルハンドル型のものにしてもよい。
【００６９】
（ｆ）前記実施形態では、第１及び第２ハンドル組立体の質量は同じであったが、異ならせても良い。たとえば、一方をステンレス合金製にして他方をアルミニウム合金やチタン合金などで軽量化しても良い。この場合、たとえば、図１２に示すように、第１ハンドル組立体６０１ａより第２ハンドル組立体６０１ｂの質量を大きくすると、釣りをするときに、リールが釣り竿Ｒを中心にして傾いて第２ハンドル組立体６０１ｂの位置が低くなり、二人の釣り人に身長差があってもお互いが操作しやすくなる。
【００７０】
（ｇ）前記実施形態では、第２ハンドル組立体側に位相調整ワッシャを装着したが、第１ハンドル組立体側に位相調整ワッシャを装着してもよいし、両方のハンドル組立体に位相調整ワッシャを装着してもよい。
【００７１】
（ｈ）前記実施形態では、位相調整手段として位相調整ワッシャを例示したが、位相調整手段としては、２つのハンドル組立体の回転方向の位相を調整できるものであればどのような形態でもよい。たとえば、Ｕ字状の切欠きを有する円板状の部材で位相調整手段を構成し、ハンドル組立体を取り外すことなく緩めるだけで位相を調整できるようにしてもよい。
【００７２】
（ｉ）前記実施形態では、フロントドラグ型のスピニングリールを例に説明したが、リアドラグ型のスピニングリールやレバーブレーキ型のスピニングリールやクローズドフェイスリールなどの他の形式のスピニングリールにも本発明を適用できる。
【００７３】
（ｊ）前記実施形態では、ばね受けワッシャを位相調整ワッシャと別に設けたが、ばね受けワッシャを設けなくてもよい。
【００７４】
（ｋ）前記の全ての実施形態においてねじ部の雄雌は逆でもよい。たとえば、マスターギア軸に雄ねじが形成され、ハンドル軸に雌ねじが形成されていてもよい。この場合には、マスターギア軸及びハンドル組立体の構成が簡素になる。また、マスターギア軸の一端側が雄ねじで他端側が雌ねじであってもよい。この場合には、ハンドル組立体の左右でねじの雌雄が異なるので、左右のハンドル組立体の付け間違いが生じなくなる。特に左右のハンドル組立体を異なる形状にする場合、付け間違いが生じなくなる。
【図面の簡単な説明】
【００７５】
【図１】本発明の一実施形態によるスピニングリールの背面斜視図。
【図２】その背面図。
【図３】その側面断面図。
【図４】その背面断面図。
【図５】そのハンドル組立体の断面部分図。
【図６】位相調整ワッシャの断面図。
【図７】他の実施形態の図４に相当する図。
【図８】さらに他の実施形態の位相調整ワッシャの使用状態を示す断面部分図。
【図９】さらに他の実施形態の図２に相当する図。
【図１０】さらに他の実施形態の図２に相当する図。
【図１１】さらに他の実施形態の図２に相当する図。
【図１２】さらに他の実施形態の図２に相当する図。
【符号の説明】
【００７６】
１ａ，１ｂ、１０１ａ，１１０ｂ、２０１ａ，２０１ｂ、３０１ａ，３０１ｂ、４０１ａ，４０１ｂ、５０１ａ，５０１ｂ、６０１ａ，６０１ｂ  第１及び第２ハンドル組立体
２  リール本体
３  ロータ
４  スプール
５  回転伝達機構
７ａ，７ｂ  第１及び第２ハンドル軸
７ｃ，７ｄ  第１及び第２雄ねじ部（第２ねじ部の一例）
８ａ，８ｂ、１０８ａ，１０８ｂ、２０８ａ，２０８ｂ、３０８ａ，３０８ｂ、５０８ａ，５０８ｂ  第１及び第２ハンドルアーム
９ａ，９ｂ、４０９ａ，４０９ｂ、５０９ａ，５０９ｂ  第１  及び第１ハンドル把手
１０，１１０  マスターギア軸
１０ａ，１０ｂ  第１及び第２雌ねじ部（第１ねじ部の一例）
２２，２２２  位相調整ワッシャ（位相調整手段の一例）
２２ａ，２２ｂ  ワッシャ部材
１０７ｇ  係合部
１０７ｈ  雄ねじ部（第３ねじ部の一例）
１０８ｆ  雌ねじ部（第４ねじ部の一例）
１１０ａ  係止孔（非円形孔の一例）
【図１】
2008022756.tif 000003
【図２】
2008022756.tif 000004
【図３】
2008022756.tif 000005
【図４】
2008022756.tif 000006
【図５】
2008022756.tif 000007
【図６】
2008022756.tif 000008
【図７】
2008022756.tif 000009
【図８】
2008022756.tif 000010
【図９】
2008022756.tif 000011
【図１０】
2008022756.tif 000012
【図１１】
2008022756.tif 000013
【図１２】
2008022756.tif 000014